(57)【要約】【課題】電磁リレーの接点の構成が１回路２接点以上の場合は、２接点のうち１接点を診断用として用い、もう一方を実際に使用する回路や装置用の主接点として接続し、診断用の接点動作の点検結果により、実際に点検していない主接点側の接点も同様な点検結果として推定した点検であった。また、電磁リレーの接点の構成が１回路１接点の場合は、接点に接続される回路や装置の接続状態では、診断用信号により電気的ストレスを与えるため実施できず、点検が不可能であった。【解決手段】図３に示すように、診断信号発生部４、検波部５ｂ、判定部６を設けることにより実際に使用する電磁リレーの接点１ａの診断が可能となり信頼性の高い自己診断が可能となる。また図３に示すように入力フィルタ部８、出力フィルタ部９を設けることのより電源（又は出力回路）３および負荷側回路（又は装置）２にストレスを与えることなく自己診断点検ができる。【選択図】図３
2010140803.tif 000002
【特許請求の範囲】
【請求項１】
電源（又は信号出力回路）からの出力が、電磁リレーやソリッドステート・リレー等の接点を介して負荷側回路（又は装置）に供給するリレー回路で、前記リレーの接点の一方に、接点の接断を診断するための診断信号発生部を接続して、前記リレーの接点の他方に前記診断信号発生部からの信号を検波する検波部を接続して、検波部からの出力を判定部で判定して前記リレーの接断機能を自己診断することを特徴とする接点の自己診断方式。
【請求項２】
請求項１の自己診断方式において、電源（又は信号出力回路）と前記リレーの一方の接点との間にフィルタを挿入し、また、前記リレーの他方の接点と負荷側回路（又は装置）との間にフィルタを挿入して前記診断信号発生部から電源（又は信号出力回路）および負荷側回路（又は装置）に、前記診断信号発生部から出力される信号からの電気的な影響を阻止することを特徴とする接点の自己診断方式。
【請求項３】
請求項２のフィルタにフェライトビーズを使用することを特徴とする接点の自己診断方式。
【請求項４】
請求項１、２、３の診断用信号発生部の信号に高周波帯のホワイトノイズや高周波パルスをパルス的に出力することを特徴とする接点の自己診断方式。
【発明の詳細な説明】
【技術分野】
【０００１】
本発明は、電磁リレーやソリッドステート・リレー等の接点機能を有する部品の接および断の動作点検に用いられる自己診断方法に関するものである。
【背景技術】
【０００２】
電磁リレー等の接点の動作点検において、接点の入力側に接続されている電源（又は信号出力回路）から接点の出力側に接続されている負荷側回路（又は装置）に影響を与えずに電磁リレーの接点を単独に動作点検を実施できる従来技術は存在しない。
【０００３】
従来の接点自己診断方法の例として電磁リレーの場合、図１及び図２示す方式が存在する。図１の方式は電磁リレーが１回路２接点の場合の自己診断方法である。電磁リレー１の接点１ａの入力に電源（又は信号出力回路）３が、出力側に負荷側回路（又は装置）２が接続され、接点１ｃを接点の診断用として用いるために接点１ｃの入力側に診断信号発生部４が接続され、接点１ｃの出力側に診断信号受信部５ａが接続され、診断信号の受信状態により接点の動作状況を判断する判定部６で構成されている。
【０００４】
診断方法は、電源（又は信号出力回路）３の出力を停止した状態で接点制御信号７からリレーコイル１ｂに電源を供給すると、接点１ａおよび１ｃが接となる。この状態で診断信号発生部４から診断用信号を出力し、接点１ｃを介して診断信号受信部５ａで診断用信号を受信し、判定部６で診断信号の有無を判定し接点１ｃの接状態を点検する。
【０００５】
同様に接点の断状態を点検するため、接点制御信号７からリレーコイル１ｂに供給している電源を停止させ、接点１ａおよび１ｃを断状態にする。この状態で前記と同じ方法に判定部６により診断信号の有無を判定する。
【０００６】
本来は、接点１ａの動作点検を実施しなければならないが、従来の方式では、診断信号により負荷側回路（又は装置）２に電気的な影響を与えるため、装置の機能として実際に用いられる接点１ｃの点検が出来なく、装置の機能としては未使用の接点１ｃの動作状況を点検していることから推定による接点１ａの点検である。
【０００７】
図２のパワーリレーのような電磁リレーが１回路１接点の場合は、点検用の接点を確保することができない為、全く接点の点検が行なえない方式である。
【０００８】
【特許文献１】特開平２００２−８２７１４
【発明の開示】
【発明が解決しようとする課題】
【０００９】
電磁リレーの接点の構成が１回路２接点以上の場合は、２接点のうち１接点を診断用として用い、もう一方を実際に使用する回路や装置用の主接点として接続し、診断用の接点動作の点検結果により、実際に点検していない主接点側の接点も同様な点検結果として推定した点検であった。
【００１０】
また、電磁リレーの接点の構成が１回路１接点の場合は、接点に接続される回路や装置の接続状態では、診断用信号により電気的ストレスを与えるため実施できず、点検が不可能であった。
【００１１】
また、前記の理由により実際に使用される接点の点検が確実に実施できないため、実運用上で電磁リレーが動作するまでは故障を検出することができない。このように事前の点検が実施できないことにより、運用上状態で装置が緊急停止等の状態になり高信頼性を要求される装置においては、重大なる問題があった。
【００１２】
このように従来の方式は、接点が装置の動作中に動作する場面において、動作するまでは故障を検出することが出来ないことから自己診断による故障検出率や信頼性が低い問題がある。また、診断用専用の接点を増やさなければならないため部品単価を抑えることができない問題がある。
【課題を解決するための手段】
【００１３】
電源（又は信号出力回路）からの出力が、電磁リレーやソリッドステート・リレー等の接点を介して負荷側回路（又は装置）に供給するリレー回路で、前記リレーの接点の一方に、接点の接断を診断するための診断信号発生部を接続して、前記リレーの接点の他方に前記診断信号発生部からの信号を検波する検波部を接続して、検波部からの出力を判定部で判定して前記リレーの接断機能を自己診断することを特徴とする。
【００１４】
また、前記自己診断方式において、電源（又は信号出力回路）と前記リレーの一方の接点との間にフィルタを挿入し、また、前記リレーの他方の接点と負荷側回路（又は装置）との間にフィルタを挿入して前記診断信号発生部から電源（又は信号出力回路）および負荷側回路（又は装置）に、前記診断信号発生部から出力される信号からの電気的な影響を阻止することを特徴とする。
【発明の効果】
【００１５】
本発明によれば、図１に示すように実際に使用する電磁リレーの接点１ａの接断の診断を電磁リレー内蔵の他の接点１ｃを使用して類推して診断するのでなく、図３に示すように、診断信号発生部４、検波部５ｂ、判定部６を設けることにより実際に使用する電磁リレーの接点１ａの診断が可能となり信頼性の高い自己診断が可能となる。
【００１６】
また図３に示すように入力フィルタ部８、出力フィルタ部９を設けることのより電源（又は信号出力回路）３および負荷側回路（又は装置）２にストレスを与えることなく自己診断点検ができる。
【実施例】
【００１７】
本発明の実施形態を電磁リレーの１回路１接点を例に挙げ図３に基づいて以下に説明する。
【００１８】
図３の１は１回路１接点の電磁リレーで、接点１ａを接または断にするためのリレーコイル１ｂである。このリレーコイル１ｂに接点制御信号７から電源を供給することで接点１ａは接または断状態に変移する。この接点１ａの入力側とは、電源や信号を出力するための電源（または信号出力回路）３が入力フィルタ部８を介して接続され、接点１ａの出力側とは負荷側回路（又は装置）２がフィルタ部９を介して接続されている。
【００１９】
また、接点１ａの入力側には診断信号発生部４が接続され、接点１ａの出力側には検波部５ｂが接続されている。
【００２０】
接点１ａの点検方法は、リレーコイル１ｂに接点制御信号７からリレーコイル用の電源を出力しない場合、接点１ａは断状態である。この状態で診断用信号発生部４から診断用信号として高周波帯域のホワイトノイズや高周波なパルスをパルス的に出力する。
【００２１】
診断信号発生部４から診断用信号を出力すると接点１ａの出力側には診断用信号が出力されないため、検波部５ｂでは診断用信号を受信できなく、その結果で判定部６では、診断用信号を出力して、接点を介して診断用信号が受信できないことから、接点１ａの断状態は正常と認識する。
【００２２】
接点１ａに入力された診断用信号は、入力フィルタ部８内の高周波を抑制するフェライトビーズなどにより高周波成分が除去され、電源（又は信号出力回路）３へは、電気的な影響やストレスを与えない。
【００２３】
次に接点制御信号７からリレーコイル用の電源を出力すると接点１ａは接状態になる。この状態で診断信号発生部４から前記と同様に診断用信号を出力すると接点１ａの出力側の出力フィルタ部９と検波部５ｂに診断用信号が出力される。検波部５ｂで受信した診断用信号は、信号の高周波成分を検波し、検波した信号を判定部６に出力し、判定部６では接点を介して診断用信号を受信したと見なし、接点１ａの接状態は正常と認識する。
【００２４】
接点１ａの入力に接続された入力フィルタ部８と接点１ａの出力側の出力フィルタ部９に入力された診断用信号は、両フィルタ部内の高周波を抑制するフェライトビーズなどにより高周波成分が除去されることにより、接点１ａの入力側の電源（又は信号出力回路）３および接点１ａの出力側の負荷側回路（又は装置）２には、電気的な影響やストレスを与えない。
【００２５】
このように接点１ａの断と接状態の診断を診断する接点に接続されている電源（又は信号出力回路）３と負荷回路（又は装置）２に電気的影響やストレスを与えることなく、診断用信号で実際に使用されている接点１ａの点検を行なうことが出来ることから、従来不可能とされていた診断用信号により影響を受ける回路や装置のインタフェースに接点を使用することが可能となる。
【００２６】
従来の実施例では、爆発物を爆発させるための最終信号用（図３の電源（又は信号出力回路）３に該当）に使用されている電磁リレーの場合は、爆発させない限り電磁リレーの故障を従来は発見することが出来なかった。
【００２７】
この段階では、爆発物（図３の負荷側回路（又は装置）２に該当）が活性化されているため、爆発物が最も危険な状態で、爆発物の活性化が停止するまでは近づくこともできない状況となる。爆発出来ない緊急事態に加え結果的に人命に関わる重大問題となる。
【００２８】
本発明の方式は、爆発物を爆発させるための最終信号用を出力する直前に接点の診断が可能となることから、電磁リレーの故障による不爆発を防ぐことが可能となり、付帯効果として爆発の安全運用が実現できる。
【００２９】
本発明の説明には電磁リレーを例として説明したが、電磁リレーに限定されることはなく、一般的なリレーにも適用される。
【図面の簡単な説明】
【００３０】
【図１】従来の接点自己診断方式（１回路２接点の場合）
【図２】従来の接点自己診断方式（１回路１接点の場合）
【図３】本発明の接点自己診断方式（１回路１接点の場合）
【符号の説明】
【００３１】
１  電磁リレー
１ａ電磁リレーの接点
１ｂ電磁リレーのコイル
１ｃ電磁リレーの接点
２  負荷側回路（又は装置）
３  電源（又は信号出力回路）
４  診断信号発生部
５ａ診断信号受信部
５ｂ検波部
６  判定部
７  接点制御信号
８  入力フィルタ部
９  出力フィルタ部
【図１】
2010140803.tif 000003
【図２】
2010140803.tif 000004
【図３】
2010140803.tif 000005